(57)【特許請求の範囲】
【請求項１】
クレードルのデジタルカメラが立てて載置される位置に上方へ向けて形成され、前記デジタルカメラの下部を保持する壁部と、
前記壁部に開閉可能に、前記デジタルカメラの画像記録媒体の格納部を開閉するカバーに対向して設けられた開閉壁部と、
を有することを特徴とするデジタルカメラ用クレードル。
【発明の詳細な説明】
【０００１】
【発明の属する技術分野】
本発明は、カメラ本体から取出し可能な画像記録媒体を使用するデジタルカメラを装着するデジタルカメラ用クレードルに関する。
【０００２】
【従来の技術】
従来、一般的なデジタルカメラでは、撮影した画像等を記録した画像記録媒体が、カメラ本体から取出し可能となっており、カメラ本体から取出し画像記録媒体をパソコン等の画像読み取り装置に挿入することで、画像を容易に読み出すことができるようになっている。
【０００３】
【発明が解決しようとする課題】
しかしながら、図９に示される如く、一般的なデジタルカメラ１００においては、画像記録媒体を格納する記録媒体格納部１０２が、レンズ格納部１０４等のカメラ機能に必要な部位から離れたカメラ本体１０６の下部側に配設されている。この結果、デジタルカメラ１００をクレードル１０８に装着した状態では、記録媒体格納部１０２の下部１０２Ａが、クレードル１０８の側壁部１０８Ａの内側となり、記録媒体格納部１０２の扉を開放することができず、画像記録媒体を取出すことができない。このため、カメラ本体１０６から画像記録媒体を取出す場合には、デジタルカメラ１００をクレードル１０８から外す必要があり、操作性が良くない。
【０００４】
本発明は上記事実を考慮し、デジタルカメラを装着したままでカメラ本体に対して画像記録媒体の着脱が可能なデジタルカメラ用クレードルを提供することを目的とする。
【０００５】
【課題を解決するための手段】
上記目的を達成するため、請求項１に記載の発明のデジタルカメラ用クレードルでは、クレードルのデジタルカメラが立てて載置される位置に上方へ向けて形成され、前記デジタルカメラの下部を保持する壁部と、前記壁部に開閉可能に、前記デジタルカメラの画像記録媒体の格納部を開閉するカバーに対向して設けられた開閉壁部と、を有することを特徴とする。
【０００８】
従って、開閉壁部を開けることでデジタルカメラをクレードルに装着したままでも、デジタルカメラに対して画像記録媒体の着脱が可能となると共に、開閉壁部を閉めることで、クレードルの壁部によるデジタルカメラの支持性能が向上する。
【００１１】
【発明の実施の形態】
本発明に係るデジタルカメラ用クレードルの第１実施形態を図１〜図４に従って説明する。
【００１２】
図４に示される如く、デジタルカメラ１０のカメラ本体１２における下面１２Ａには、クレードル２０と接続するために、充電端子と、パソコン接続端子としてのＵＳＢ端子とが一体になった複合端子１４が形成されている。また、デジタルカメラ１０は、デジタルカメラ用クレードル（以下、クレードルという）２０の保持部２２に上方から下方（図４の矢印Ａ方向）へ向けて挿入可能となっている。
【００１３】
なお、デジタルカメラ１０のカメラ本体１２における側面１２Ｂの下部には、充電端子１１とＵＳＢ端子１３とがそれぞれが形成されており、これらの充電端子１１とＵＳＢ端子１３は、デジタルカメラ１０をクレードル２０に装着しない場合に使用する。
【００１４】
クレードル２０の上部には、デジタルカメラ１０を載置する保持部２２が形成されており、保持部２２の外周部には、上方に向けて壁部２４が形成されている。この壁部２４の高さは、後部２４Ａが最も高く、左右両側部２４Ｂ、前部２４Ｃの順に低くなっており、前部２４Ｃは、幅方向中央部に形成した切欠２６によって左右に分割されている。なお、保持部２２における壁部２４の内周形状は、デジタルカメラ１０のカメラ本体１２における下部の外周形状と略一致しており、デジタルカメラ１０を、クレードル２０の保持部２２に挿入した状態では、デジタルカメラ１０のカメラ本体１２における下面１２Ａが、常に、保持部２２における底部２２Ａの決められた位置に当接するようになっている。
【００１５】
図１に示される如く、デジタルカメラ１０のカメラ本体１２における側面１２Ｂの下部には、開閉可能なカバー１８が形成されており、このカバー１８を開くことで、デジタルカメラ１０のカメラ本体１２に内臓されたスロットル３１への画像記録媒体３３の着脱が可能になる。
【００１６】
図２に示される如く、デジタルカメラ１０をクレードル２０の保持部２２に挿入した状態で、スロットルカバー１８の下部１８Ａと対向する、クレードル２０の壁部２４の部位が、画像記録媒体取出し手段としての開閉壁部２５となっている。
【００１７】
図３に示される如く、クレードル２０の開閉壁部２５は、前端部に形成したヒンジ２５Ａによってカメラ前方（図３の矢印Ｂ方向）へ回転可能になっており、図３に実線で示されるように、閉塞した状態では後端部に形成した係合部２５Ｂが、壁部２４の後部２４Ａと側部２４Ｂとの間に形成した係合部２４Ｄに係合（当接でも良い）している。また、クレードル２０の開閉壁部２５は、バネ等で、閉方向等に付勢されていても良い。
【００１８】
一方、デジタルカメラ１０のカバー１８は、前端部に形成したヒンジ１８Ｂによって前方（図３の矢印Ｂ方向）へ回転可能になっており、図３に実線で示されるように、閉塞した状態では後端部に形成した係合部１８Ｃが、カメラ本体１２側に形成した係合部１２Ｃに係合または閉時に保持或いは当接するように付勢等されている。
【００１９】
なお、クレードル２０の開閉壁部２５のヒンジ２５Ａは、デジタルカメラ１０のカバー１８のヒンジ２８Ａよりカメラ前方の位置にあり、開閉壁部２５を図３に二点鎖線で示す開放位置とすることで、カバー１８を図３に二点鎖線で示す開放位置に移動することができるようになっている。従って、クレードル２０の開閉壁部２５とデジタルカメラ１０のカバー１８とを、図１に示される開放状態にすることで、スロットル３１への画像記録媒体３３の着脱が可能になる。
【００２０】
図４に示される如く、クレードル２０における保持部２２の底部２２Ａには、充電端子接続部とＵＳＢ端子接続部とが一体になった複合端子接続部２８が形成されており、この複合端子接続部２８は、デジタルカメラ１０を、クレードル２０の保持部２２に挿入した状態で、デジタルカメラ１０の複合端子１４に接続される位置に形成されている。従って、デジタルカメラ１０を、クレードル２０の保持部２２に挿入すると、クレードル２０の複合端子接続部２８とデジタルカメラ１０の複合端子１４とが自動的に接続されるようになっている。
【００２１】
クレードル２０の前面２０Ａには、押しボタン式のメンイスイッチ２９が配設されており、メンイスイッチ２９を押圧操作することでクレードル２０の電源がオン・オフするようになっている。また、クレードル２０の前面２０Ａにおけるメンイスイッチ２９の上方には、通信中表示手段と充電中表示手段とを兼ねたＬＥＤからなる表示部３０が配設されており、表示部３０の上部は、保持部２２の底部２２Ａにも露出している。
【００２２】
また、図示を省略したクレードル２０の後面には充電端子とＵＳＢ端子が形成されており、充電コード４４と外部機器接続コードとしてのＵＳＢコード４６が接続可能になっている。
【００２３】
また、デジタルカメラ用クレードル１０の内部には、マイクロコンピュータを備えた制御回路５１が内臓されている。この制御回路５１は、デジタルカメラ用クレードル１０の保持部２２にデジタルカメラ１０が装着され、複合端子接続部２８と複合端子１４とが導通状態になったのを検出した場合には、ＵＳＢ端子による通信を自動的に開始するように設定されている。
【００２４】
また、制御回路５１は、ＵＳＢ端子により通信が行われている場合には、表示部を例えば黄色に点灯し、充電端子により充電が行われている場合には、表示部３０を例え赤色に点灯するようになっている。
【００２５】
次に、本実施形態の作用を説明する。
【００２６】
本実施形態では、デジタルカメラ１０をクレードル２０の保持部２２に装着することで、デジタルカメラ１０の充電端子とＵＳＢ端子とが一体になった複合端子１４をクレードル２０の保持部２２に形成された充電端子とＵＳＢ端子とが一体になった複合端子接続部２８に自動的に接続することができる。
【００２７】
また、本実施形態では、デジタルカメラ１０をクレードル２０の保持部２２に装着した状態で、クレードル２０の開閉壁部２５を図３の矢印Ｂ方向に回転し、図３に二点鎖線で示す開放位置とすることで、デジタルカメラ１０のカバー１８を図３に二点鎖線で示す開放位置に移動することができる。この結果、クレードル２０の開閉壁部２５とデジタルカメラ１０のカバー１８とを、図１に示される開放状態にすることで、デジタルカメラ１０をクレードル２０の保持部２２に装着したままでも、スロットル３１への画像記録媒体３３の着脱が可能になり、操作性が向上する。
【００２８】
また、本実施形態では、図２に示される如く、デジタルカメラ１０のカバー１８及びクレードル２０の開閉壁部２５を閉めることで、クレードル２０の壁部２４によるデジタルカメラ１０の支持性能が向上する。
【００２９】
次に、本発明のデジタルカメラ用クレードルの第２実施形態を図５〜図７に従って説明する。
【００３０】
なお、第１実施形態と同一部材に付いては、同一符号を付してその説明を省略する。
【００３１】
図５及び図６に示される如く、本実施形態では、クレードル２０の開閉壁部２５が上下方向にスライドする構成となっており、上端部に形成された把持部２５Ｃを持って下方へ移動することで、開閉壁部２５が図６に示す閉塞位置から、図５に示される開放位置へ移動できるようになっている。
【００３２】
図７に示される如く、開閉壁部２５の前後両端部には凸部２５Ｄ、２５Ｅが形成されており、これらの凸部２５Ｄ、２５Ｅが、クレードル２０の壁部２４に形成されたガイドレール２４Ｅに所定値以上の力でスライド可能に挿入されている。このため、開閉壁部２５は図６に示す閉塞位置に保持可能になっている。
【００３３】
なお、クレードル２０の開閉壁部２５における前側の凸部２５Ｄは、デジタルカメラ１０のカバー１８のヒンジ２８Ａより前方の位置にあり、開閉壁部２５を図６に示す開放位置とすることで、カバー１８を図７に二点鎖線で示す開放位置に移動することができるようになっている。従って、クレードル２０の開閉壁部２５とデジタルカメラ１０のカバー１８とを、図５に示される開放状態にすることで、スロットル３１への画像記録媒体３３の着脱が可能になっている。
【００３４】
次に、本実施形態の作用を説明する。
【００３５】
本実施形態では、デジタルカメラ１０をクレードル２０の保持部２２に装着した状態で、クレードル２０の開閉壁部２５を下方にスライドし、図５で示す開放位置とすることで、デジタルカメラ１０のカバー１８を図７に二点鎖線で示す開放位置に移動することができる。この結果、クレードル２０の開閉壁部２５とデジタルカメラ１０のカバー１８とを、図５に示される開放状態にすることで、デジタルカメラ１０をクレードル２０の保持部２２に装着したままでも、スロットル３１への画像記録媒体３３の着脱が可能になり、操作性が向上する。
【００３６】
また、本実施形態では、図６に示される如く、デジタルカメラ１０のカバー１８及びクレードル２０の開閉壁部２５を閉めることで、クレードル２０の壁部２４によるデジタルカメラ１０の支持性能が向上する。
【００３７】
次に、本発明のデジタルカメラ用クレードルの第３実施形態を図８に従って説明する。
【００３８】
なお、第１実施形態と同一部材に付いては、同一符号を付してその説明を省略する。
【００３９】
図８に示される如く、本実施形態では、上記各実施形態におけるクレードル２０の開閉壁部２５に代えて、画像記録媒体取出し手段としての矩形状の切欠５４がクレードル２０の壁部２４に上方側から形成されており、この切欠５４によってデジタルカメラ１０のカバー１８が開放位置へ移動可能になっている。
【００４０】
次に、本実施形態の作用を説明する。
【００４１】
本実施形態では、デジタルカメラ１０をクレードル２０の保持部２２に装着したままでも、クレードル２０の壁部２４に形成した切欠５４によって、デジタルカメラ１０のカバー１８が図８に示される如く開放位置に移動することができる。この結果、デジタルカメラ１０をクレードル２０の保持部２２に装着したままでも、スロットル３１への画像記録媒体３３の着脱が可能であり、操作性が向上する。
【００４２】
また、本実施形態では、クレードル２０に切欠５４を形成するだけで良いため、構成が簡単である。
【００４３】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、クレードル２０に形成する画像記録媒体取出し手段は、上記各実施形態における開閉壁部２５又は切欠５４に限定されない。
【００４４】
【発明の効果】
本発明は、上記構成としたので、請求項１に記載の発明では、デジタルカメラを装着したままでカメラ本体に対して画像記録媒体の着脱が可能になるという優れた効果を有する。
【００４５】
また、請求項２に記載の発明は、請求項１に記載の効果に加えて、デジタルカメラの支持性能が向上するという優れた効果を有する。
【００４６】
また、請求項３に記載の発明では、請求項１に記載の効果に加えて、構成が簡単であるという優れた効果を有する。
【図面の簡単な説明】
【図１】本発明の第１実施形態に係るデジタルカメラ用クレードルの開閉壁部を開いた状態を示す斜視図である。
【図２】本発明の第１実施形態に係るデジタルカメラ用クレードルの開閉壁部を閉じた状態を示す斜視図である。
【図３】図２の３−３線に沿った断面図である。
【図４】本発明の第１実施形態に係るデジタルカメラ用クレードルにデジタルカメラを装着する前の状態を示す斜視図である。
【図５】本発明の第２実施形態に係るデジタルカメラ用クレードルの開閉壁部を開いた状態を示す斜視図である。
【図６】本発明の第２実施形態に係るデジタルカメラ用クレードルの開閉壁部を閉じた状態を示す斜視図である。
【図７】図６の７−７線に沿った断面図である。
【図８】本発明の第３実施形態に係るデジタルカメラ用クレードルを示す斜視図である。
【図９】従来のデジタルカメラ用クレードルを示す斜視図である。
【符号の説明】
１０    デジタルカメラ
１８    カバー
２０    デジタルカメラ用クレードル
２４    壁部
２５    開閉壁部
３１    スロットル（格納部）
３３    画像記録媒体
【図１】
0004340410.tif 000002
【図２】
0004340410.tif 000003
【図３】
0004340410.tif 000004
【図４】
0004340410.tif 000005
【図５】
0004340410.tif 000006
【図６】
0004340410.tif 000007
【図７】
0004340410.tif 000008
【図８】
0004340410.tif 000009
【図９】
0004340410.tif 000010